(57)【要約】  現行法は、放送により受信されるテレビジョン番組を保存する場合に、暗号化の実現性を要求している。しかしながら、従来の再生装置は、斯かる暗号化されたデータを正常な方法で再生することが可能ではなく、ことによると誤った方法で再生してしまう。このことは、スピーカの損傷のような問題に帰着し得る。それ故、本発明は、暗号化処理の間に誤った識別を斯かるストリームに故意に備えることにより、斯かる損害をもたらし得るストリームのいずれをも隠蔽することを意図している。本発明は、数あるなかでも、暗号化のための方法及び回路、並びに復号化のための方法及び回路を提供する。本発明はＤＶＤレコーダに特に適しているが、他のビデオ及び／又はオーディオレコーダに利用されても良い。本発明はオーディオビジュアルでないデータの暗号化にも利用されても良い。
2007524311.tif 000002
【特許請求の範囲】
【請求項１】
オーディオビジュアルデータの少なくとも１つのストリームを有するデータストリームを暗号化する方法であって、
前記オーディオビジュアルデータのストリームをデータセグメントにセグメント化するステップと、
前記データセグメントに、ＩＤデータをＩＤセグメントにおいて備えるステップと、
を有し、前記ＩＤデータは、前記オーディオビジュアルデータのストリーム中のデータのタイプを識別するために予め定義されたＩＤデータとは異なり、前記方法は更に、
前記ＩＤセグメントは暗号化されないままに残し、前記データセグメントを部分的に暗号化するステップを有する方法。
【請求項２】
データパックを生成するステップを更に有し、各前記データパックは、少なくとも１つのデータセグメントを有し、前記データセグメントを部分的に暗号化するステップにおいて、少なくとも１つの前記データセグメントのＩＤセグメントが暗号化されない、請求項１に記載の方法。
【請求項３】
前記データストリームは、異なるタイプのオーディオビジュアルデータの複数のストリームを有し、前記オーディオビジュアルデータの少なくとも１つのストリームのデータセグメントが暗号化される、請求項１に記載の方法。
【請求項４】
前記オーディオビジュアルデータの少なくとも１つのストリームのデータセグメントが、前記オーディオビジュアルデータの前記ストリーム中のデータのタイプを識別するために予め定義されたＩＤデータとは異なるＩＤデータを有するＩＤセグメントを備えられる、請求項３に記載の方法。
【請求項５】
前記オーディオビジュアルデータの複数のストリームが同時に供給され、前記方法は更に、前記オーディオビジュアルデータの複数のストリームのデータを有するセグメントを、更なるデータストリームへと多重化するステップを有する、請求項３に記載の方法。
【請求項６】
前記データセグメントは、ＩＤセグメントにおいて更なるＩＤデータを備えられ、前記更なるＩＤデータは、前記オーディオビジュアルデータのストリーム中のデータのタイプを識別するために予め定義され、前記更なるＩＤデータは、更なるステップにおいて、前記オーディオビジュアルデータのストリーム中のデータのタイプを識別するために予め定義されたＩＤデータとは異なるＩＤデータによって置き換えられる、請求項１に記載の方法。
【請求項７】
前記データパックはＭＰＥＧデータストリームパックである、請求項２に記載の方法。
【請求項８】
前記オーディオビジュアルデータのストリーム中のデータのタイプを識別するために予め定義されたＩＤデータは、ＤＶＤ規格によって予め定義される、請求項１に記載の方法。
【請求項９】
予め定義されたものでないＩＤデータが備えられた前記オーディオビジュアルデータのストリームと同一のタイプのオーディオビジュアルデータの空のストリームを供給するステップを更に有し、前記オーディオビジュアルデータの空のストリームは、前記タイプのデータを識別するために予め定義されたＩＤデータを備える、請求項１に記載の方法。
【請求項１０】
オーディオビジュアルデータの少なくとも１つのストリームを有するデータストリームを保存する方法であって、前記データストリームを受信するステップ、請求項１に記載の方法、及びセグメント化され暗号化されたデータを記憶媒体に保存するステップを有する方法。
【請求項１１】
オーディオビジュアルデータの少なくとも１つのストリームを有するデータストリームを暗号化する回路であって、
前記オーディオビジュアルデータのストリームをデータセグメントにセグメント化するセグメント化ユニットと、
前記データセグメントに、ＩＤデータをＩＤセグメントにおいて備えるユニットと、
を有し、前記ＩＤデータは、前記オーディオビジュアルデータのストリーム中のデータのタイプを識別するために予め定義されたＩＤデータとは異なり、前記回路は更に、
前記ＩＤセグメントは暗号化されないままに残しつつ前記データセグメントを部分的に暗号化する暗号化ユニットを有する回路。
【請求項１２】
データパックを生成するパッキングユニットを更に有し、各前記データパックは、少なくとも１つのデータセグメントを有し、前記データセグメントを部分的に暗号化するステップにおいて、少なくとも１つの前記データセグメントのＩＤセグメントが暗号化されない、請求項１１に記載の回路。
【請求項１３】
データを受信する受信器と、
請求項１１に記載の回路と、
暗号化された前記データを記憶媒体に保存する記憶装置と、
を有する、データを保存するための装置。
【請求項１４】
請求項１に記載の方法を利用して暗号化されたオーディオビジュアルデータを復号化する方法であって、
前記部分的に暗号化されたデータセグメントを復号化するステップと、
前記ＩＤセグメントにより担持されたデータが、前記オーディオビジュアルデータのストリーム中のデータのタイプを識別するために予め定義されたＩＤデータと異なることを認識し、前記データセグメントに含まれるデータの実際のタイプを認識するステップと、
前記データストリームからオーディオビジュアルデータのストリームを形成するステップと、
を有する方法。
【請求項１５】
請求項１０に記載の方法を利用して保存されたデータを取得及びレンダリングする方法であって、
前記記憶媒体に保存されたデータを取得するステップと、
請求項１４に記載された方法と、
前記復号化されたオーディオビジュアルデータのストリームをレンダリングするステップと、
を有する方法。
【請求項１６】
請求項１１に記載の回路により暗号化されたオーディオビジュアルデータを復号化する回路であって、
前記部分的に暗号化されたデータセグメントを復号化する復号化ユニットと、
前記ＩＤセグメントにより担持されたデータが、前記オーディオビジュアルデータのストリーム中のデータのタイプを識別するために予め定義されたＩＤデータと異なることを認識し、前記データセグメントに含まれるデータの実際のタイプを認識する識別ユニットと、
前記データストリームからオーディオビジュアルデータのストリームを形成するストリーミングユニットと、
を有する回路。
【請求項１７】
オーディオビジュアルデータをレンダリング及び取得する装置であって、
記憶媒体からデータを取得するための記憶装置と、
請求項１６に記載の回路と、
前記復号化されたオーディオビジュアルデータのストリームをレンダリングする回路と、
を有する装置。
【請求項１８】
請求項１に記載の方法を実行するための処理ユニットをプログラミングするためのコンピュータ読み取り可能な命令を有するコンピュータプログラム。
【請求項１９】
請求項１８に記載のコンピュータプログラムを担持するデータ担体。
【請求項２０】
請求項１に記載の方法を実行することを可能とされたプログラミングされたコンピュータ。
【請求項２１】
請求項１４に記載の方法を実行するための処理ユニットをプログラミングするためのコンピュータ読み取り可能な命令を有するコンピュータプログラム。
【請求項２２】
請求項２１に記載のコンピュータプログラムを担持するデータ担体。
【請求項２３】
請求項１４に記載の方法を実行することを可能とされたプログラミングされたコンピュータ。
【請求項２４】
請求項１に記載の方法を利用して暗号化されたデータを担持するデータ担体。
【請求項２５】
前記データ担体は記録可能なＤＶＤディスクである、請求項２４に記載のデータ担体。
【請求項２６】
前記データ担体は再書き込み可能なＤＶＤディスクである、請求項２４に記載のデータ担体。
【発明の詳細な説明】
【技術分野】
【０００１】
本発明は、オーディオビジュアルデータの少なくとも１つのストリームを有するデータストリームを暗号化する方法に関する。
【０００２】
本発明は更に、オーディオビジュアルデータの少なくとも１つのストリームを有するデータストリームを暗号化する回路に関する。
【０００３】
本発明はまた、オーディオビジュアルデータを復号化する方法に関する。
【０００４】
本発明は更に、オーディオビジュアルデータを復号化する回路に関する。
【０００５】
更に本発明は、処理ユニットをプログラミングするためのコンピュータ読み取り可能な命令を有するコンピュータプログラムに関する。
【０００６】
本発明はまた、斯かるコンピュータプログラムを担持するデータ担体に関する。
【０００７】
本発明は更に、プログラムされたコンピュータに関する。
【０００８】
本発明は更に、本発明による方法を利用して暗号化されたデータを担持するデータ担体に関する。
【背景技術】
【０００９】
現行法は、放送により受信されるテレビジョン番組を保存する場合に、暗号化の実現性を要求している。とりわけディジタル的に放送されるテレビジョン番組のようなテレビジョン番組は、メタデータとしてコピー制御情報を備えられ得る。コピー制御情報についての選択肢は、数ある中でも、コピー禁止（記録が許可されない）、１度のみコピー可（１回の記録が許可され、記録されたもののコピーは許可されない）及びコピー自由（消費者の私的環境内でコンテンツの自由な配布が許可される）である。コピー自由の情報がテレビジョン番組と共に放送される場合であっても、該テレビジョン番組の任意の保存された部分を暗号化することが要求され得る。該要求は、更なる放送フラグに設定される。
【発明の開示】
【発明が解決しようとする課題】
【００１０】
このことは、ＤＶＤレコーダのようなビデオレコーダにおいて、暗号化ハードウェア及び／又はソフトウェアの実装を必要とする。しかしながら問題なのは、例えばＤＶＤプレイヤのインストールされる基盤が暗号化をサポートしていないことである。この問題は新たな機器を購入することによって解決され得るが、このことは高価である。また従来の機器においては、従来のオーディオビジュアルマテリアルが依然として再生され得る。更に、暗号化機能を備えたビデオレコーダにより記録された全ての番組が、該番組を記録する際に該番組を暗号化するわけではない。加えて、暗号化機能を備えた新たなビデオレコーダが、暗号化されたコンテンツを再生することが可能であろう。それ故、従来のＤＶＤプレイヤを破棄することが常に直接必要であるわけではない。
【００１１】
しかしながら、ＤＶＤ上のコンテンツは混合され得るため、即ち暗号化されたコンテンツが暗号化されていないコンテンツと隣接し得るため、ユーザは対応していないＤＶＤプレイヤにおいて暗号化されていないコンテンツを再生しようと試み得る。ビデオデータの再生に関しては、このことは画面上の非常に興味を引くブロックに帰着しない。オーディオデータの再生に関しては、このことは非常に大きな音のノイズやティック音（tick）等に帰着する。大きなノイズは機器（スピーカ）を損傷させ得、及び／又は、特にユーザがヘッドフォンを装着している場合には、ユーザの耳を損傷させ得る。
【００１２】
本発明の目的は、斯かる損傷を与え得るストリームを従来の再生装置において再生することを防ぐことにある。
【課題を解決するための手段】
【００１３】
本目的を達成するため、本発明は、第１の態様において、オーディオビジュアルデータの少なくとも１つのストリームを有するデータストリームを暗号化する方法であって、前記オーディオビジュアルデータのストリームをデータセグメントにセグメント化するステップと、前記データセグメントに、ＩＤデータをＩＤセグメントにおいて備えるステップと、を有し、前記ＩＤデータは、前記オーディオビジュアルデータのストリーム中のデータのタイプを識別するために予め定義されたＩＤデータとは異なり、前記方法は更に、前記ＩＤセグメントは暗号化されないままに残し、前記データセグメントを部分的に暗号化するステップを有する方法を提供する。
【００１４】
例えばＤＶＤへの保存のためにオーディオビジュアルデータを暗号化する間、オーディオデータのＩＤがＤＶＤ規格と準拠しないＩＤデータへと変更される場合には、従来のＤＶＤプレイヤは該オーディオをオーディオとして認識せず、いずれのオーディオをも再生しない。このようにして、再生機器のスピーカが損傷を受けない。
【００１５】
欧州特許出願番号０３１０４４０２．７は、特殊なナビゲーションコマンドによって従来の装置から暗号化されたコンテンツをシールドするためのナビゲーション構造を提案している。しかしながら、この方法は、レコーダが完全な動作を実行すること、及びプレイヤがナビゲーションシールドの周囲に進路を見出さないことという事実に依存している。実際には、このことは常に保証されるわけではない。例えば幾つかのプレイヤは、オーディオビジュアルデータを有するファイルの直接の再生を許容する。
【００１６】
本発明による方法の更なる実施例においては、前記データストリームは、異なるタイプのオーディオビジュアルデータの複数のストリームを有し、前記オーディオビジュアルデータの少なくとも１つのストリームのデータセグメントが暗号化される。
【００１７】
通常、オーディオビジュアルデータは、少なくともオーディオ及びビデオデータを伴って、種々の方法で供給される。加えて、インタラクティブなアプリケーションに関するデータも供給され得る。この例は、マルチメディア・ホーム・プラットフォーム（Multimedia Home Platform）（インタラクティブ）を持つディジタルビデオ放送（Digital Video Broadcasting）である。異なるタイプのデータは別個のストリームで供給され、単一のデータストリームに多重化されるか又は多重化されるべきものである。
【００１８】
本発明による方法の更なる実施例においては、前記オーディオビジュアルデータの少なくとも１つのストリームのデータセグメントが、前記オーディオビジュアルデータの前記ストリーム中のデータのタイプを識別するために予め定義されたＩＤデータとは異なるＩＤデータを有するＩＤセグメントを備えられる。
【００１９】
データストリームがオーディオビジュアルデータ（又は他のタイプのデータ）の複数のストリームを有し、該データストリームにより含まれるこれらストリームの１つのみの再生の防止が望ましい場合には、当該ストリームについてのデータパケットのＩＤデータのみが変更される必要がある。このようにして、当該ストリームのデータのみが従来の装置によって再生されず、他のストリームのデータは再生される。
【００２０】
本発明による方法の他の実施例においては、前記データセグメントは、ＩＤセグメントにおいて更なるＩＤデータを備えられ、前記更なるＩＤデータは、前記オーディオビジュアルデータのストリーム中のデータのタイプを識別するために予め定義され、前記更なるＩＤデータは、更なるステップにおいて、前記オーディオビジュアルデータのストリーム中のデータのタイプを識別するために予め定義されたＩＤデータとは異なるＩＤデータによって置き換えられる。
【００２１】
本実施例の利点は、データのタイプを識別するための所定のＩＤデータを持つデータセグメントを供給する、標準的な既存の回路が利用され得ることである。勿論このことは、前記所定のＩＤデータを変更するための別個の付加的な回路のコストにより得られる。
【００２２】
本発明は、第２の態様において、オーディオビジュアルデータの少なくとも１つのストリームを有するデータストリームを暗号化する回路であって、前記オーディオビジュアルデータのストリームをデータセグメントにセグメント化するセグメント化ユニットと、前記データセグメントに、ＩＤデータをＩＤセグメントにおいて備えるユニットと、を有し、前記ＩＤデータは、前記オーディオビジュアルデータのストリーム中のデータのタイプを識別するために予め定義されたＩＤデータとは異なり、前記回路は更に、前記ＩＤセグメントは暗号化されないままに残しつつ前記データセグメントを部分的に暗号化する暗号化ユニットを有する回路を提供する。
【００２３】
本発明は、第３の態様において、データを受信する受信器と、請求項１１に記載の回路と、暗号化された前記データを記憶媒体に保存する記憶装置と、を有する、データを保存するための装置を提供する。
【００２４】
本発明は、第４の態様において、請求項１に記載の方法を利用して暗号化されたオーディオビジュアルデータを復号化する方法であって、前記部分的に暗号化されたデータセグメントを復号化するステップと、前記ＩＤセグメントにより担持されたデータが、前記オーディオビジュアルデータのストリーム中のデータのタイプを識別するために予め定義されたＩＤデータと異なることを認識し、前記データセグメントに含まれるデータの実際のタイプを認識するステップと、前記データストリームからオーディオビジュアルデータのストリームを形成するステップと、を有する方法を提供する。
【００２５】
本発明は、第５の態様において、請求項１１に記載の回路により暗号化されたオーディオビジュアルデータを復号化する回路であって、前記部分的に暗号化されたデータセグメントを復号化する復号化ユニットと、前記ＩＤセグメントにより担持されたデータが、前記オーディオビジュアルデータのストリーム中のデータのタイプを識別するために予め定義されたＩＤデータと異なることを認識し、前記データセグメントに含まれるデータの実際のタイプを認識する識別ユニットと、前記データストリームからオーディオビジュアルデータのストリームを形成するストリーミングユニットと、を有する回路を提供する。
【００２６】
本発明は、第６の態様において、オーディオビジュアルデータをレンダリング及び取得する装置であって、記憶媒体からデータを取得するための記憶装置と、請求項１６に記載の回路と、前記復号化されたオーディオビジュアルデータのストリームをレンダリングする回路と、を有する装置を提供する。
【００２７】
本発明は、第７の態様において、請求項１に記載の方法を実行するための処理ユニットをプログラミングするためのコンピュータ読み取り可能な命令を有するコンピュータプログラムを提供する。
【００２８】
本発明は、第８の態様において、請求項１８に記載のコンピュータプログラムを担持するデータ担体を提供する。
【００２９】
本発明は、第９の態様において、請求項１に記載の方法を実行することを可能とされたプログラミングされたコンピュータを提供する。
【００３０】
本発明は、第１０の態様において、請求項１４に記載の方法を実行するための処理ユニットをプログラミングするためのコンピュータ読み取り可能な命令を有するコンピュータプログラムを提供する。
【００３１】
本発明は、第１１の態様において、請求項２１に記載のコンピュータプログラムを担持するデータ担体を提供する。
【００３２】
本発明は、第１２の態様において、請求項１４に記載の方法を実行することを可能とされたプログラミングされたコンピュータを提供する。
【００３３】
本発明は、第１３の態様において、請求項１に記載の方法を利用して暗号化されたデータを担持するデータ担体を提供する。
【００３４】
本発明は、図によって更に説明されるであろう。
【発明を実施するための最良の形態】
【００３５】
図１は、本発明による装置の実施例としてビデオレコーダ１００を示す。ビデオレコーダ１００は、受信器１０１、多重分離器１０２、レンダリングユニットとしてビデオプロセッサ１０３、及び本発明による回路の実施例としてコーディング回路１１０を有する。コーディング回路１１０は、多重化器１０４、暗号化ユニット１０５及びパケット識別ユニット１０６を有する。前記ビデオレコーダは更に、記憶装置としてＤＶＤレコーダドライブ１０７を有する。
【００３６】
ビデオレコーダ１００の動作は、図１及び図２に示されたフロー図２００によって説明される。これら図は、本発明による処理の実施例としての記録処理を示す。フロー図２００の処理は、表１に示されるようにラベル付けされる。
【表１】
2007524311.tif 000003
【００３７】
記録処理は、処理ステップ２００において、ユーザ入力により開始する。更なる実施例においては、前記記録処理は、ビデオレコーダ１００による番組記録に検知される自動的に生成されたプログラミングユニットの入力によって開始する。
【００３８】
次いで処理ステップ２０２において、記録すべきデータを有するデータストリームが、受信器１０１によって受信される。前記データストリームは、無線接続、ケーブルのような放送有線接続、又はブロードバンド・インターネットのような（仮想的な）ポイント・ツー・ポイント接続によって、データを有する信号１５０を受信することにより受信されても良い。受信処理ステップ２０２及び受信器１０１の種々の実施例が可能である。信号１５０を受信すると、前記データストリームが前記信号から抽出され、多重分離器１０２に供給される。前記抽出されたデータストリームは、本実施例においては、テレビジョン番組のためのオーディオ及びビデオデータストリームを有する伝送ストリームである。更なる本説明及び本特許出願に添付された請求項においては、オーディオ又はビデオデータの一方のみが存在する場合であっても、双方のデータのタイプがオーディオビジュアルデータと呼ばれる。
【００３９】
多重分離器１０２は、前記抽出された番組ストリームが有する種々のオーディオビジュアルデータストリームを、通常基本オーディオストリーム及び基本ビデオストリームに分離する。これらの基本ストリームのための好適なフォーマットは、ＭＰＥＧ−２フォーマットである。前記番組ストリームはまた、インタラクティブなテレビジョンアプリケーションのためのデータを持つストリームと、基本オーディオストリーム及び／又は基本ビデオストリームを拡張するためのデータを持つストリームとを有しても良い。図２において、前記多重分離処理ステップは、受信処理ステップ２０２に含まれる。
【００４０】
基本オーディオストリーム及び基本ビデオストリームは、基本ストリームに含まれるオーディオビジュアルデータをレンダリング（rendering）するためのビデオプロセッサ１０３に供給される。本説明においては、レンダリングとは、ＭＰＥＧ−２データ（本実施例の場合）が、スピーカ１２０及びＴＶセット（図示されていない）による再生のために伸張（decompress）され変換されることを意味する。
【００４１】
レンダリングに加え、ビデオレコーダ１００は前記受信されたデータを記録することも可能である。このため、受信器１０１によって受信され多重分離器１０２によって多重分離された（共に処理ステップ２０４において）データは、処理ステップ２０６においてデータセグメントへとセグメント化される。前記データセグメントは、（データ）パケットとしても知られる。
【００４２】
続いて、処理ステップ２０８において、前記セグメントに含まれるデータのタイプを識別するために、ＩＤデータが前記セグメントに追加される。前記ＩＤデータは、前記セグメントにより含まれるデータのタイプを識別し、ＤＶＤ（Digital Versatile Disc）プレイヤのような再生装置による、保存されたデータの再生を容易化するために予め定義される。ＤＶＤ規格については、表２に示されるようなストリームＩＤの値が合意されている。前記ＩＤデータは、データセグメント（又はデータパケット）ヘッダに含まれる。
【００４３】
表２はまた、サブストリームＩＤについての情報を有する。サブストリームは、ＤＶＤにおけるデータストリーム全体に含まれるプライベート（private）ストリームに含まれる。前記サブストリームは、基本オーディオ及びビデオデータを補足する更なる情報を供給する。例は、ＡＣ−３オーディオ、ＤＴＳ（Digital Theatre System）、ＳＤＤＳ（Sony Dynamic Digital Sound）、ＬＰＣＭ（Linear Pulse Code Modulation）他である。
【表２】
2007524311.tif 000004
【００４４】
続く処理ステップ２１０において、前記セグメントがデータパックに配置される。データパックは、１つのタイプのストリームのデータストリームを有する。このことは、１つのデータパックが複数のサブストリームのデータを有し得ることを意味するが、このことはＤＶＤ規格によって許容されていないため、好適な実施例においては当てはまらない。任意に、データパックは、合意されているデータパックサイズである２ｋＢを満たすのに十分な１ストリームのサイズが利用可能でない場合に、パディングパックを有しても良い。前記パックは、識別のための、及びオーディオ及びビデオデータの同期のためのタイミング情報を供給するためのヘッダを備える。
【００４５】
続く処理ステップ２１２において、オーディオビジュアルデータを備えるデータパックが、ＤＶＤ規格により規定されるように、１つのデータストリームに順に配置される。これらの書き込みユニットは高価なものであり、利用される数を制限することが重要である。
【００４６】
処理ステップ２０６乃至２１２は、多重化器１０４により実行されるサブ処理２３０を形成する。当業者は、これらの処理ステップは別個の構成要素により実行されても良いことを認識するであろう。
【００４７】
前記パックが１つのストリームに配置された後、これらパックは処理ステップ２１４において暗号化ユニット１０５により暗号化される。該暗号化は部分的に実行され、従って再生装置は、各パックの少なくとも幾つかのデータセグメント及びデータパック識別情報を読み取ることが依然として可能である。好ましくは、データパックの先頭１２８バイトが暗号化されない。
【００４８】
処理ステップ２１４の後、図３に示すようなデータパックが得られる。図３は、パックヘッダ３０１、データセグメントヘッダ３１０及びペイロード３２０を有するデータパック３００を示す。パックヘッダ３０１は前記データパックを識別するためのデータを有し、データセグメントヘッダ３１０は、ペイロード３２０に含まれるデータのタイプを識別する（表２に詳述されたような）ＩＤセグメント３１２を有する。スクランブル情報が、スクランブル識別ビット３１４における２ビットに含まれる。
【００４９】
続く処理ステップ２１６において、オーディオデータを有するデータセグメントのＩＤデータセグメントが、パケット識別ユニット１０６によって変更される。このようにして、オーディオパケットは、従来のＤＶＤプレイヤのような再生装置によっては、オーディオパケットとして認識されない。このことは、パケットを復号化することが可能でない装置において起こり得る再生を防ぐために実行される。従来のＤＶＤプレイヤ、即ち本発明による復号化の回路の実施例を有さないＤＶＤプレイヤが、暗号化されたパケットをオーディオデータを有するものとして認識する場合には、該従来のＤＶＤプレイヤは暗号化されたデータを再生しようと試みる。意図されるものではないが、オーディオが依然として再生され得る。このことは、全てのオーディオデータが暗号化されるわけではなく、ＤＶＤに保存されたデータパックの先頭の部分は暗号化されておらず、該ＤＶＤプレイヤが同期のために利用するデータを有し得るからである。通常、このことは、スピーカのようなオーディオ機器に損害を与え得る大きなノイズに帰着し、ヘッドフォンにより再生される場合には該ヘッドフォンを装着するユーザの耳に害を与え得る。
【００５０】
適切なストリームＩＤが見出されないためにオーディオデータが認識されない場合には、オーディオは再生されず、復号化されたビデオのみが再生される。このことは鑑賞には魅力的ではないが、従来のＤＶＤプレイヤに害を与えない。
【００５１】
本発明者は、表３に示すようなストリームＩＤ及びサブストリームＩＤ値の変更を提案する。当業者は認識するであろうように、本方式の変更例も可能であり、表３は単に実施例を提供するに過ぎない。
【表３】
2007524311.tif 000005
【００５２】
プライベートストリームについては、サブストリームＩＤの代わりにストリームＩＤが変更されても良い。表４においては、ストリームＩＤのみが変更され、サブストリームＩＤは変更されない。ビデオ、オーディオ及びサブピクチャストリームは、ここで全て隠蔽される。サブストリームＩＤを含まないことの付加的な利点は、ストリームＩＤが常にパックの１８番目のバイトに保存されるため、ストリームＩＤの位置を見出すためにストリームをパースする必要がないということである。
【表４】
2007524311.tif 000006
【００５３】
保存すべきデータのオーディオストリームのＩＤデータを変更した後、処理ステップ２１８において、暗号化されたデータパックがＤＶＤレコーダドライブ１０７によって保存される。
【００５４】
全てのデータが保存された後、本処理はフロー図２００の終了２２０において終了する。
【００５５】
変更されたＩＤデータは、別個のユニットの代わりに、多重化器１０４によって直接に付加されても良いことは、当業者には明らかであろう。また、更なる実施例においては、暗号化とＩＤデータの変更との順序は交換されても良い。
【００５６】
図４は、本発明によるオーディオビジュアルデータのレンダリング及び取得のための装置の実施例として、ＤＶＤプレイヤ４００を示す。ＤＶＤプレイヤ４００は、記憶装置としてＤＶＤドライブ４０１、復号化ユニット４０２、多重分離器４０３及びビデオプロセッサ４０４を有する。復号化ユニット４０２と多重分離器４０３とは、本発明によるデータの復号化のための回路の実施例である回路４１０を形成する。ビデオプロセッサ４０４は、ＭＰＥＧデコーダとして実施化されても良い。ＤＶＤプレイヤ４００の動作の方法は、図５におけるフロー図５００により明らかにされる。該フロー図は、本発明によるデータの取得及びレンダリングの方法の実施例として取得及びレンダリング処理を示す。
【表５】
2007524311.tif 000007
【００５７】
ＤＶＤに保存された暗号化されたデータの再生が処理ステップ５０２において要求されると、後続する処理ステップ５０４において、ＤＶＤドライブ４０１によって、ＤＶＤからデータが取得される。次いで、処理ステップ５０６において、復号化ユニット４０２によってパックが復号化される。多重分離器４０３は、変更されたＩＤデータを認識するように構成される。このことは、ストリームＩＤがＤＶＤ規格によって定義されたものと異なる場合であっても、多重分離器４０３がＭＰＥＧオーディオストリームのためのデータを認識することが可能であることを意味する。適切なストリームの特定は、処理ステップ５０８において実行される。
【００５８】
続く処理ステップ５１０において、前記多重分離器が前記パケットから基本ストリームを形成し、スピーカ４２０又はＴＶセット（図示されていない）において再生されることができる信号を供給するため、該基本ストリームをレンダリングのためビデオプロセッサ４０４に送信する。処理ステップ５０８と処理ステップ５１０とは、本実施例においては多重分離器４０３によって実行されるサブ処理５２０を形成する。
【００５９】
次いで、前記基本ストリームは、処理ステップ５１２において、スピーカ及び／又は画面による適切な再生のために、ビデオプロセッサ４０４によりレンダリングされる。続いて、前記レンダリングされたデータは、処理ステップ５１４において、スピーカ４２０及び画面（図示されていない）により再生される。フロー図５００により示された取得及びレンダリング処理は、再生されるべき全てのデータが再生されたときに、終了５１６において終了する。
【００６０】
本発明の更なる実施例においては、元のオーディオストリームのストリームＩＤが変更され、空のオーディオストリームが、規定されたオーディオストリームＩＤを備えられる。このことは、オーディオ及びビデオ又は両方のデータタイプに適用されても良い。空のデータストリームを備えることは、全てのデータストリームが実際に空であることを意味するものではない。例えば、ＡＣ−３ストリームの最小のビットレートは６４ｋｂｐｓである。本発明によるオーディオビジュアルデータのレンダリング及び取得のための装置の実施例としての再生装置は、空のストリームを破棄するであろう。該再生装置はまた、変更されたストリームＩＤを認識し、復号化し、復号化されたデータを再生するであろう。
【００６１】
本発明の他の種々の実施例が、本発明の範囲から逸脱することなく可能である。例えば、１つの要素により実行されるものとして説明された機能が複数の要素により実行されても良いし、その逆も成り立つ。
【００６２】
また前記データは、Compact Disc、Super Audio Compact Disc、BluRay（登録商標）のような種々の規格による光担体から、フラッシュＥＥＰＲＯＭ回路のような固体担体及びディジタルビデオテープを有する担体に至るまで、広範なデータ担体に保存されても良い。
【００６３】
当業者は理解するであろうように、本発明は、本発明による方法を実行するため処理ユニットをプログラミングするためのコンピュータ読み取り可能な命令を有するコンピュータプログラム、斯かるコンピュータプログラムを担持するデータ担体、及び本発明による方法の１以上を実行することを可能とされた、プログラムされたコンピュータとして実施化されても良い。
【００６４】
要約すると、本発明は以下に関する。
【００６５】
現行法は、放送により受信されるテレビジョン番組を保存する場合に、暗号化の実現性を要求している。しかしながら、従来の再生装置は、斯かる暗号化されたデータを正常な方法で再生することが可能ではなく、ことによると誤った方法で再生してしまう。このことは、スピーカの損傷のような問題に帰着し得る。それ故、本発明は、暗号化処理の間に誤った識別を斯かるストリームに故意に備えることにより、斯かる損害をもたし得るストリームのいずれをも隠蔽することを意図している。本発明は、数あるなかでも、暗号化のための方法及び回路、並びに復号化のための方法及び回路を提供する。本発明はＤＶＤレコーダに特に適しているが、他のビデオ及び／又はオーディオレコーダに利用されても良い。本発明はオーディオビジュアルでないデータの暗号化にも利用されても良い。
【図面の簡単な説明】
【００６６】
【図１】本発明によるデータを保存する装置の実施例としてビデオレコーダ１００を示す。
【図２】本発明によるデータストリームを暗号化するための方法の実施例を示すフロー図を示す。
【図３】図２に示されたフロー図により示される方法によって生成されるデータパックを示す。
【図４】本発明によるデータを取得及びレンダリングする装置の実施例としてＤＶＤプレイヤを示す。
【図５】本発明によるデータを取得及びレンダリングする方法の実施例を示すフロー図を示す。
【図１】
2007524311.tif 000008
【図２】
2007524311.tif 000009
【図３】
2007524311.tif 000010
【図４】
2007524311.tif 000011
【図５】
2007524311.tif 000012
【国際調査報告】
2007524311.tif 000013
2007524311.tif 000014
2007524311.tif 000015